(57)【要約】【課題】従来の両面粘着剤は、フィルム状・シート状粘着剤が剥離紙と共に巻かれたもの、または両面粘着剤が巻かれてケース内に収納されている立体状のものが主であるのに対し、本願の両面粘着剤は利用するための保管、収納、移動時の取り扱いにも簡便容易な定型平面状で持ち手部を有する両面粘着剤片の提供を目的としたものである。【解決手段】剥離紙により保護されたフィルム状・シート状粘着剤になる両面粘着剤において、該両面粘着剤に紙類を含む非粘着材になる持ち手部を設け、設けた持ち手部と両面粘着剤との略境目に、破線状・ミシン目状類の切れ目を設けたことを特徴とした持ち手部付両面粘着剤片である。【選択図】  図１
2009126912.tif 000002
【特許請求の範囲】
【請求項１】
剥離紙により保護されたフィルム状・シート状粘着剤になる両面粘着剤において、該両面粘着剤に、紙類を含む非粘着材になる持ち手部を設けたことを特徴とした持ち手部付両面粘着剤片。
【請求項２】
両面粘着剤に設ける持ち手部を、設ける持ち手部と両面粘着剤との略境目に、破線状・ミシン目状類の切れ目を設けたことを特徴とした請求項１記載の持ち手部付両面粘着剤片。
【請求項３】
両面粘着剤に設ける持ち手部を、両面粘着剤側の接続部となる部分、または持ち手部側の接続部となる部分、あるいは双方の接続部となる部分を凹凸状・波状類の非直線形状に形成した上で、接続部となる部分の一部を減じて接続して持ち手部を設けたことを特徴とした請求項１記載の持ち手部付両面粘着剤片。
【請求項４】
持ち手部を設けた持ち手部付両面粘着剤片を、持ち手部付両面粘着剤片を保護する両側の剥離紙のうちの一方側の剥離紙上に、もう一方側の剥離紙と共に切れ目を設けて単片状に分割・切離し可の持ち手部付両面粘着剤片として配置した請求項１、２、または３記載の持ち手部付両面粘着剤片。
【請求項５】
持ち手部を設けた持ち手部付両面粘着剤片を、持ち手部付両面粘着剤片を保護する両側の剥離紙のうちの一方側の剥離紙上に、もう一方側の剥離紙と共に単片状に形成した持ち手部付両面粘着剤片を二つ以上配置した請求項１、２、または３記載の持ち手部付両面粘着剤片。  
【発明の詳細な説明】
【技術分野】
【０００１】
本発明は、フィルム状・シート状の両面粘着剤を単片材として用いることに関するものである。
【背景技術】
【０００２】
従来使用されている貼付用粘着剤には、片面利用の粘着剤と両面利用の粘着剤があり、このなかのフィルム状・シート状の両面利用の粘着剤（以下「両面粘着剤」という）には両面粘着剤が剥離紙と共にロール状に巻かれたもの、または巻かれてケース内に収容された両面粘着剤を直接貼着対象物に貼着させて使用するもの（特許文献１）があり、前者のものについては使用時に必要な長さに鋏やナイフ等の切断具を用いて切断して使用するものが主で、切断した両面粘着剤片を持ち使用するときには、指などが粘着剤面に接触することもあるために注意を払って取り扱っていた。
また、後者のものにおいては鋏やナイフ等の切断具を必要としない代わりに、ケース内に収納されている両面粘着剤をケースごと直接貼着対象物まで近づけて貼着させるということが要求されるものであった。
【０００３】
また、ロール状に巻かれていないものとしては、文献（特許文献２）に開示されている両面接着片もあるが、開示されている両面接着片は“紙または合成樹脂フィルム等の接着片となるもの（基材）の両面に接着剤が塗布されたもの”による両面接着片で、本願のフィルム状・シート状粘着剤になる両面粘着剤とは異なる技術構成になる両面接着片のものであるために、使用時には両面接着片と共に紙または合成樹脂フィルム等の接着片となるもの（基材）も同時に残存する形態のものである。
【特許文献１】特開２０００―６３７６９
【特許文献２】実全昭５１―１０３０５６
【発明の開示】
【発明が解決しようとする課題】
【０００４】
そこで本発明では、剥離紙と共に巻かれた従来の両面粘着テープ使用時に生じる鋏等の切断具の使用、並びに切断後の両面粘着剤片の移動時に生じる粘着剤面への接触不安等の解消を目的とすると共に、ケース内に収容されている両面粘着テープの使用時に伴う容器ごとの移動、貼着操作、及びそれらの保管、収納、移動時における立体形状であるがために生じる不都合さを解消した定型の平面形状で、かつ持ち手部を有する両面粘着剤片の提供を目的としたものである。
【課題を解決するための手段】
【０００５】
本願の請求項に記載された発明は、剥離紙により保護されたフィルム状・シート状粘着剤になる両面粘着剤（フィルム状・シート状そのものが粘着剤であって、紙または樹脂フィルム等を基材としたものの両面に粘着剤を塗布、または粘着面を設けて両面粘着材としたものとは異なるものをいう）において、該両面粘着剤に、紙類を含む布、皮、木竹、金属、合成樹脂類の平板状・フィルム状・シート状材、または紐・帯状類、棒・線状類の細長状材などの非粘着材になる持ち手部（以下「持ち手部」という）を設けたことを特徴とした持ち手部付両面粘着剤片である。
設ける持ち手部は、両面粘着剤と持ち手部とを重ね合わせて設けたもの、または両面粘着剤と持ち手部との双方を突合せて設けたものである。
【０００６】
前記請求項２に記載された発明は、両面粘着剤に設ける持ち手部を、設ける持ち手部と両面粘着剤との略境目に、破線状・ミシン目状類の切れ目を設けたことを特徴とした持ち手部付両面粘着剤片である。
【０００７】
前記請求項３に記載された発明は、両面粘着剤に設ける持ち手部を、両面粘着剤側の接続部となる部分、または持ち手部側の接続部となる部分、あるいは双方の接続部となる部分を凹凸状・波状類の非直線形状に形成した上で、接続部となる部分の一部を減じて接続して持ち手部を設けたことを特徴とした持ち手部付両面粘着剤片である。
【０００８】
持ち手部付両面粘着剤片の持ち手部と両面粘着剤との略境目に、破線状・ミシン目状類の切れ目を設けた持ち手部付両面粘着剤片、および持ち手部と両面粘着剤との接続部の部分を凹凸状・波状類の非直線形状に形成して設けた持ち手部付両面粘着剤片は、持ち手部付両面粘着剤片を使用したときにおいて、設けた持ち手部と両面粘着剤との分離、切離しを容易にすることを目的としたものである。
【０００９】
前記請求項４に記載された発明は、持ち手部を設けた持ち手部付両面粘着剤片を、持ち手部付両面粘着剤片を保護する両側の剥離紙のうちの一方側の剥離紙上に、もう一方側の剥離紙と共に切れ目を設けて単片状に分割・切離し可の持ち手部付両面粘着剤片として配置して設けた持ち手部付両面粘着剤片である。
【００１０】
前記請求項５に記載された発明は、持ち手部を設けた持ち手部付両面粘着剤片を、持ち手部付両面粘着剤片を保護する両側の剥離紙のうちの一方側の剥離紙上に、もう一方側の剥離紙と共に単片状に形成した持ち手部付両面粘着剤片を二つ以上配置して設けた持ち手部付両面粘着剤片である。  
【００１１】
上記に示した持ち手部付両面粘着剤片を使用するときには、両面粘着剤片の片面を露出させた持ち手部付両面粘着剤片の持ち手部を持って、もう一方側を保護している剥離紙と共に貼着対象物に貼着させた後に、両面粘着剤片を保護しているもう一方側の剥離紙を除去して粘着面を露出させ使用するものである。
このとき、貼着対象物に貼着された両面粘着剤片には、非粘着材である持ち手部の部分が残る状態となるものであるが、利用状況によっては両面粘着剤片に設けられた持ち手部を残したままでよい場合を除き、設けられた持ち手部は両面粘着剤片より引き離し、または切離し除去するものである。
両面粘着剤に設けられた持ち手部を除去することが望ましい状況時での持ち手部付両面粘着剤片の使用には、両面粘着剤と持ち手部との略境目に破線状・ミシン目状類の切れ目の設けられた持ち手部付両面粘着剤片、または持ち手部と両面粘着剤との接続部の部分が凹凸状・波状類の非直線形状に形成されて設けられた持ち手部付両面粘着剤片を使用することが望ましい。
【発明の効果】
【００１２】
上記に示したように、本発明になる持ち手部付両面粘着剤片には、非粘着部である持ち手部が設けられていると共に、両面粘着剤自身が使い易い定型状に形成されているために、剥離紙と共に巻かれていた従来の両面粘着テープ類とは異なり、使用時においては鋏等の切断具を用いる必要がない。
また、両面粘着剤片の移動時には、両面粘着剤片に設けられた持ち手部を持って移動、貼着できるために、指などが粘着剤面に直接触れることはないという利点がある。
このことは、両面粘着剤片に持ち手部が設けられているために、子供や高齢者を含め、手先作業に不安を感じている人々にとっても、指先等が粘着面に直接触れるのではないかという不安を持たずに両面粘着剤を利用できるという効果もある。
本発明になる持ち手部付両面粘着剤片を使用するときには、両面粘着剤と共に非粘着材である持ち手部も同時に貼着対象物に残るものであるが、持ち手部の部分を貼着対象物に残したくない場合には持ち手部の部分を両面粘着剤より引き離し、または切離すことにより両面粘着剤のみにて貼着できるもので、このことは前記背景技術の引用文献（特許文献２）に開示されている両面接着片の“紙または合成樹脂フィルム等の接着片となるもの（基材）の両面に接着剤が塗布されたもの”にみるような基材となるものが存在していないために、貼着時には粘着剤以外の異物が残存するという心配をすることもなく使用できるものである。
【００１３】
さらに、本発明になる持ち手部付両面粘着剤片は、剥離紙と共にロール状に巻かれた両面粘着剤や、ケース内に直接巻かれた立体形状の両面粘着剤類、または貼付用接着剤として用いられている従来の液状、粘状、半固形状の糊・接着剤類に見られるような立体状容器に収納されている貼付用材とは異なり、平面状に形成された両面粘着剤片であるために、書類や紙葉類、また本・冊子・カタログ類と同様の収納・保管、および持ち運び・移動も容易である。
そのために、職場や学校、または家庭内のいずれの場所でも常時手近に置いて従来の糊や接着剤の代わりとしても簡便に使用できるものである。
【発明を実施するための最良の形態】
【００１４】
本発明を実施するための最良の形態について図１、および、図２に基づいて説明する。
図１は、剥離紙の一方側に、もう一方側の剥離紙と共に両面粘着剤片を分割可能に配置した持ち手部付両面粘着剤片の平面図、図２は、図１に示した持ち手部付両面粘着剤片のＡ―Ａ部分の拡大断面図である。
フィルム状・シート状粘着剤になる両面粘着剤１（以下「両面粘着剤」という）を、一方側の剥離紙２上に間をあけて二列状に配置し、配置した両面粘着剤１の各両側に、紙・樹脂材類の非粘着材になる持ち手部４を貼着設け、設けた持ち手部４と両面粘着剤１との分離、切離しを容易にするための破線状の切れ目６を両面粘着剤１と持ち手部４との略境目に設けた上でもう一方側の剥離紙３で両面粘着剤１を保護し、保護した持ち手部付両面粘着剤片をさらに単片状の持ち手部付両面粘着剤片に分割・切離しできるようにするための切れ目５を、保護した剥離紙３と持ち手部４の設けられた両面粘着剤１との双方に設けた持ち手部付両面粘着剤片である。
両面粘着剤１と持ち手部４との略境目に設ける破線状の切れ目６は、両面粘着剤１と持ち手部４との略境目にのみ設けたもの（図１の左列）、または両面粘着剤１を保護するもう一方側の剥離紙３にも破線状の切れ目６を設けたもの、すなわち両面粘着剤１をもう一方側の剥離紙３にて保護した後に破線状の切れ目６を設けたもの（図１の右列）としたものでもよい。
【００１５】
上記に示した持ち手部付両面粘着剤片を使用するときには、一方側の剥離紙２上に分割可能に配置された持ち手部付両面粘着剤片の持ち手部４を持って持ち手部付両面粘着剤片を剥がし、剥がした持ち手部付両面粘着剤片を貼着対象物の一方側に貼着させた後に、両面粘着剤１を保護しているもう一方側の剥離紙３を除去し粘着面を露出させると共に、両面粘着剤１と持ち手部４との略境目に設けられている破線状の切れ目６を利用して両面粘着剤１に設けられている持ち手部４を切離し、除去した上で、もう一方側の貼着対象物を貼着させるものである。
【実施例】
【００１６】
持ち手部付両面粘着剤片についての実施例を以下に述べる。
図３は、剥離紙の一方側に、もう一方側の剥離紙と共に単片状の持ち手部付両面粘着剤片を二列状に配置した持ち手部付両面粘着剤片の平面図である。
両面粘着剤１を保護する一方側の剥離紙２-１上に、もう一方側の剥離紙３-1、３-2と共に単片状の持ち手部付両面粘着剤片を二列状に配置したもので、配置する一方側には、円形単片状の両面粘着剤１-1に紙・樹脂材類の非粘着材になる持ち手部４-1を設けた持ち手部付両面粘着剤片を、両面粘着剤１-1を保護するもう一方側の剥離紙３-1と共に二以上配置し、残るもう一方側には、方形単片状とした両面粘着剤１-2に紙・樹脂材類の非粘着材になる持ち手部４-2を設けた持ち手部付両面粘着剤片を、両面粘着剤１-2を保護するもう一方側の剥離紙３-2と共に二以上配置したものである。
二列状に配置した持ち手部付両面粘着剤片に設ける持ち手部は、円形単片状の両面粘着剤１-1には、方形の持ち手部４-1を方形のままの状態で端部を重ね合わせて接続して持ち手部付両面粘着剤片とし、もう一方側の方形単片状の両面粘着剤１-2には、方形の持ち手部４-2の接続部側に凸状部７-2を形成し、形成した凸状部７-2の一部を残して方形単片状の両面粘着剤１-2に接続して、両面粘着剤１-2と持ち手部４-2との接続部となる部分を減じて設けた持ち手部付両面粘着剤片としたものである。
また、持ち手部付両面粘着剤片を二列状に配置した側の剥離紙２-１には、持ち手部付両面粘着剤片が配置された剥離紙２-１を分割利用できるようにするための破線状の切れ目６-1を設けると共に、持ち手部付両面粘着剤片が配置された剥離紙２-１を吊下げ利用、また吊下げ保管をすることができるようにするための孔９を剥離紙２-１の上方に設けたものである。
【００１７】
上記に示した持ち手部付両面粘着剤片を使用するときには、本発明を実施するための最良の形態に示した設けた持ち手部付両面粘着剤片に準じるものである。
なを、上記図３に示した持ち手部付粘着剤片は、持ち手部付両面粘着剤片の利用状況により、設けられた持ち手部４-1を残したままでもよい状況時には円形単片状の両面粘着剤１-1になる持ち手部付両面粘着剤片を使用し、また設けられた持ち手部４-2を残したくない状況時には両面粘着剤１と持ち手部４との接続部が減じられた方形単片状の両面粘着剤１-2になる持ち手部付両面粘着剤片を使用して、方形単片状の両面粘着剤１-2に設けられた持ち手部４-2を持ち手部付両面粘着剤１-2より切離し、除去するものである。
【００１８】
図４は、単独単片状に形成した持ち手部付両面粘着剤片の平面図、及び断面図である。
すなわち、両側を剥離紙２-3、３-3にて保護された方形の両面粘着剤１-3に、紙・樹脂材類の非粘着材になる持ち手部４-3を設けた持ち手部付両面粘着剤片である。
設ける持ち手部４-3は、持ち手部４-3の接続部側に凸状部７-3を形成した上で、形成した凸状部７-3と両面粘着剤１-3との間に隙間を持たせて接続することにより両面粘着剤１-3と持ち手部４-3との接触部を減じた形状としたものである。
このことは、持ち手部付両面粘着剤片の使用時において、持ち手部付両面粘着剤片に設けた持ち手部４-3の切離し、除去を容易にできるようにしたものである。
また、該持ち手部付両面粘着剤片は、単独単片状に形成されているために、収納、移動等を含め、持ち手部付両面粘着剤片の利用時には必要数のみを用意して使用できるという利便性もある。
【００１９】
図５は、持ち手部を両面粘着剤に設ける形態例を示した断面図である。
図５（ａ）に示したものは、両面粘着剤１-4に持ち手部４-4を設けるときにおいて、設ける持ち手部４-4と両面粘着剤１-4とを重ね合わせた形態として持ち手部４-1を設けた持ち手部付両面粘着剤片である。
またここでは、両面粘着剤１-4を保護する剥離紙２-4、３-4のうちの一方側の剥離紙３-4は、持ち手部付両面粘着剤片使用時の剥離紙３-4除去を容易にするために、両面粘着剤１-4に設けた持ち手部４-4の一部を残して両面粘着剤１-4を保護した持ち手部付両面粘着剤片としたものである。
【００２０】
図５（ｂ）に示したものは、両面粘着剤１-5に持ち手部４-5を設けるときにおいて、設ける持ち手部４-5と両面粘着剤１-5とを突合せ状として持ち手部４-5を設けた持ち手部付両面粘着剤片である。
該持ち手部付両面粘着剤片では、持ち手部付両面粘着剤片の使用時において両面粘着剤１-5を保護する剥離紙２-5、３-5の除去を容易にするために、両面粘着剤１-5を保護する剥離紙２-5、３-5は、両面粘着剤１-5に設けた持ち手部４-5の一部を両側とも残して両面粘着剤１-5を保護したものである。
また、設けた持ち手部は両面粘着剤１-5と持ち手部４-5とを突合せ状にして設けたことにより厚さが減少し、持ち手部付両面粘着剤片の積重ね収納、保管、移動時等においても総体量が減少するという効果も得られるものである。
【００２１】
図６は、両面粘着剤に設ける持ち手部の接続部まわりの係りを示した断面図である。
図６（ｃ）に示した持ち手部付両面粘着剤片は、二つ折り状とした持ち手部４-6で両面粘着剤１-6を両側より挟む形態として設けた持ち手部付両面粘着剤片である。
両面粘着剤１-6を両側より挟む形態として設けた持ち手部付両面粘着剤片は、持ち手部付両面粘着剤片を使用するときにおいて、持ち手部４を片側より設けた場合に生じる恐れのある、持ち手部４と両面粘着剤１との接続部の部分が両面粘着剤と共に貼着対象物に残存することを極力さけるための例として示したもので、両面粘着剤１と持ち手部４との略境目に破線状・ミシン目状類の切れ目6の設けられている持ち手部付両面粘着剤片においては有効に作用するものである。
【００２２】
図６（ｄ）に示した持ち手部付両面粘着剤片は、両面粘着剤1-7に持ち手部４-7を設けるときにおいて、設ける持ち手部４-7の反対面の両面粘着剤1-7部分にも、紙・樹脂材類の非粘着材になる付着防止補助材８を設けた持ち手部付両面粘着剤片である。
持ち手部付両面粘着剤片に設ける付着防止補助材８も、設ける目的は図６（ｃ）に示した持ち手部付両面粘着剤片と同様である。
【図面の簡単な説明】
【００２３】
【図１】剥離紙の一方側に、もう一方側の剥離紙と共に両面粘着剤片を分割可能に配置した持ち手部付両面粘着剤片の平面図である。
【図２】図１の持ち手部付両面粘着剤片のＡ―Ａ部分の拡大断面図である。
【図３】剥離紙の一方側に、もう一方側の剥離紙と共に単片状の持ち手部付両面粘着剤片を二列状に配置した持ち手部付両面粘着剤片の平面図である。
【図４】単独単片状に形成した持ち手部付両面粘着剤片の平面図、及び断面図である。
【図５】持ち手部を両面粘着剤に設ける形態例を示した断面図である。
【図６】両面粘着剤に設ける持ち手部の接続部まわりの係りを示した断面図である。
【符号の説明】
【００２４】
１、１-1、１-2、１-3、１-4、１-5、１-6、１-7・・・両面粘着剤
２、２-1、      ２-3、２-4、２-5、２-6、２-7・・・剥離紙
３、３-1、３-2、３-3、３-4、３-5、３-6、３-7・・・剥離紙
４、４-1、４-2、４-3、４-4、４-5、４-6、４-7・・・持ち手部
５、            ・・・切れ目
６、６-1、６-11 ・・・破線状の切れ目
７、７-2、７-3  ・・・凸状部
８、            ・・・付着防止補助材
９、            ・・・孔
【図１】
2009126912.tif 000003
【図２】
2009126912.tif 000004
【図３】
2009126912.tif 000005
【図４】
2009126912.tif 000006
【図５】
2009126912.tif 000007
【図６】
2009126912.tif 000008